(57)【特許請求の範囲】
【請求項１】
空調室内機（１２）において水を受けるドレンパン（５７）から水を吸い上げるドレンポンプ（５９）、に接続される、排水機構（６０，１６０，２６０）であって、
前記ドレンポンプに接続される接続部（６２ａ，１６２）と、
前記接続部から上方に延びる第１流路部（６４，１６４）と、
前記第１流路部の上端に接続される第１端（６５ａ，１６５ａ，２６５ａ）と、前記第１端とは反対側の第２端（６５ｂ，１６５ｂ，２６５ｂ）とを有し、内部を流れる水の向きを上向きから下向きに変える、折返し部（６５，１６５，２６５）と、
前記折返し部の前記第２端から延びる第２流路部（６８）と、
を備え、
前記第２流路部（６８）は、内径が１３ｍｍ以下の配管であり、
前記折返し部（６５，１６５，２６５）の流路面積は、前記第２流路部（６８）の流路面積よりも大きい、
排水機構（６０，１６０，２６０）。
【請求項２】
前記第２流路部（６８）は、湾曲部（６８ｃ）を含む金属製あるいは樹脂製の管である、
請求項１に記載の排水機構。
【請求項３】
前記第２流路部（６８）は、銅管である、
請求項１又は２に記載の排水機構。
【請求項４】
前記第１流路部（６４）の流路面積は、前記第２流路部（６８）の流路面積よりも大きい、
請求項１から３のいずれかに記載の排水機構。
【請求項５】
前記第１流路部（６４）の流路面積と、前記折返し部（６５）の流路面積とは等しく、
前記第１流路部（６４）及び前記折返し部（６５）は、連続している、
請求項４に記載の排水機構。
【請求項６】
前記第１流路部（１６４）の流路面積は、前記折返し部（１６５，２６５）の流路面積よりも小さい、
請求項１から３のいずれかに記載の排水機構。
【請求項７】
前記折返し部（６５）の内部流路の中心線（６５Ｃ）のうち最も高さが高い最高点（６５Ｔ）は、前記第１流路部（６４）の内部流路の中心線（６４Ｃ）のうち最も高さが高い最高点（６４Ｔ）及び前記第２流路部（６８）の内部流路の中心線（６８Ｃ）のうち最も高さが高い最高点（６８Ｔ）のいずれに対しても、高い位置にある、
請求項１から６のいずれかに記載の排水機構。
【請求項８】
前記折返し部の内部流路の中心線（６５Ｃ）のうち最も高さが高い最高点（６５Ｔ）と、前記接続部（６２ａ）との高さ方向の距離（Ｈ１）は、２００〜５００ｍｍである、
請求項１から７のいずれかに記載の排水機構。
【請求項９】
前記折返し部の内部流路の中心線（６５Ｃ）のうち最も高さが高い最高点（６５Ｔ）と、前記第２端（６５ｂ）との高さ方向の距離（Ｈ２）は、５０〜７００ｍｍである、
請求項１から８のいずれかに記載の排水機構。
【請求項１０】
前記折返し部は、容器（１６５，２６５）である、
請求項１から９のいずれかに記載の排水機構。
【請求項１１】
前記容器（２６５）は、弾性部材（２６５ｃ）を有し、
前記弾性部材は、その弾性変形によって、前記容器の内部流路を塞ぐ、
請求項１０に記載の排水機構。
【請求項１２】
前記容器（１６５）は、内部空間と外部空間との連通状態と非連通状態とを切り替える切替部材（１６５ｃ）を有し、
前記切替部材は、前記容器の内部空間の圧力が所定値未満に下がったときに、前記非連通状態から前記連通状態へと切り替わり、前記容器の外部空間の空気を前記容器の内部空間に取り込ませる、
請求項１０に記載の排水機構。
【請求項１３】
空調室内機（１２）において水を受けるドレンパン（５７）から水を吸い上げるドレンポンプ（５９）、に接続される、排水機構（５００）であって、
前記ドレンポンプに接続される接続部（５２０）と、
前記接続部から上方に延びる第３流路部（５３０）と、
前記第３流路部の上端に接続される第１端（５４１）と、前記第１端とは反対側の第２端（５４２）とを有し、内部を流れる水の向きを上向きから下向きに変える、第４流路部（５４０）と、
前記第４流路部の前記第２端から下方に延びる第５流路部（５５０）と、
前記第５流路部から延びる第６流路部（５６０）と、
を備え、
前記第６流路部（５６０）は、内径が１３ｍｍ以下の配管であり、
前記第４流路部（５４０）及び／又は前記第５流路部（５５０）の流路面積は、前記第６流路部（５６０）の流路面積よりも大きい、
排水機構（５００）。
【請求項１４】
前記第４流路部（５４０）及び前記第５流路部（５５０）は、１つの管であり、連続している、
請求項１３に記載の排水機構。
【請求項１５】
前記第４流路部（５４０）及び前記第５流路部（５５０）は、１つの銅管であり、
前記第４流路部（５４０）及び前記第５流路部（５５０）の内径は、前記第６流路部（５６０）の内径よりも大きい、
請求項１４に記載の排水機構。
【請求項１６】
前記第６流路部（５６０）は、１又は複数の銅管から成る、
請求項１３から１５のいずれかに記載の排水機構。
【請求項１７】
前記第４流路部（５４０）及び前記第５流路部（５５０）の内径は、前記第６流路部（５６０）の内径の１．５倍以上である、
請求項１４又は１５に記載の排水機構。
【請求項１８】
前記第６流路部（５６０）と連続する第７流路部（５７０）、
をさらに備え、
前記第６流路部（５６０）は、前記第５流路部（５５０）と前記第７流路部（５７０）との間に位置し、
前記第７流路部（５７０）の内部流路の中心線のうち最も高さが低い最低点（５７０ａ）の高さ位置（Ｈ５７０）は、
前記第６流路部（５６０）の内部流路の中心線のいずれの点に対しても低い位置にあり、
且つ、
前記ドレンパン（５７）の上端の高さ位置（Ｈ５７）よりも低い位置にある、
請求項１３から１７のいずれかに記載の排水機構。
【請求項１９】
前記第７流路部（５７０）と連続する第８流路部（５８０）、
をさらに備え、
前記第８流路部（５８０）の内部流路の中心線のいずれの点の高さ位置も、前記第７流路部（５７０）の前記最低点（５７０ａ）の高さ位置（Ｈ５７０）よりも高く、
前記第８流路部（５８０）は、外部に水を排出するための排出流路（７０）と前記第７流路部（５７０）との間に位置する、
請求項１８に記載の排水機構。
【請求項２０】
前記ドレンポンプ（５９）の内部容積、前記接続部（５２０）の内部容積、前記第３流路部（５３０，６３０）の内部容積、及び、前記第４流路部（５４０，６４０）の内部容積のうち前記第４流路部の流路下面の最高点（５４０Ｂ）の高さ位置よりも低く且つ前記第３流路部と連続している部分の容積、の合計容積（Ｖ，Ｖ１）が、前記ドレンパンの内部空間のうち前記ドレンポンプが動いているときの前記ドレンパン（５７）の水位よりも高い空間の容積（Ｑ）よりも小さい、
請求項１３から１９のいずれかに記載の排水機構。
【請求項２１】
前記ドレンパンと、前記ドレンパンの上に配置される熱交換器（５０）とを有する、前記空調室内機（１２）と、
前記ドレンパンから水を吸い上げる、前記ドレンポンプ（５９）と、
前記ドレンポンプに接続される、請求項１から２０のいずれかに記載の排水機構と、
を備える空調システム。
【発明の詳細な説明】
【技術分野】
【０００１】
排水機構、特に、空調室内機のドレンパンから水を吸い上げるドレンポンプに接続される、排水機構に関する。また、その排水機構を備える空調システムに関する。
【背景技術】
【０００２】
ドレン排水をポンプによって行う技術が、特許文献１（特開平５−２０３１７７号公報）に記載されている。この技術によれば、天井内空間が狭くて十分な配管勾配が得られない場合でも、確実にドレン排水が行われる。
【発明の概要】
【発明が解決しようとする課題】
【０００３】
しかし、特許文献１（特開平５−２０３１７７号公報）のような構造を採用したとしても、ドレン排水のためのポンプを止めると、天井内のフレキシブルホース等の配管の中のドレン水が逆流する。これにより、空調室内機のドレンパンにドレン水が戻ってしまう不具合が生じることがある。特許文献１（特開平５−２０３１７７号公報）の空調室内機では、逆流防止弁を設けているが、この逆流防止弁は詰まることがある。
【課題を解決するための手段】
【０００４】
第１観点の排水機構は、ドレンパンから水を吸い上げるドレンポンプに接続される。ドレンパンは、空調室内機において、水を受ける。排水機構は、ドレンポンプに接続される接続部と、第１流路部と、折返し部と、第２流路部と、を備えている。第１流路部は、接続部から上方に延びる。折返し部は、第１流路部の上端に接続される第１端と、その第１端とは反対側の第２端とを有している。折返し部は、内部を流れる水の向きを、上向きから下向きに変える。第２流路部は、折返し部の第２端から延びる。第２流路部は、内径が１３ｍｍ以下の配管である。折返し部の流路面積は、第２流路部の流路面積よりも大きい。
【０００５】
第１観点の排水機構では、水の向きを上向きから下向きに変える折返し部を設け、その折返し部の第２端から第２流路部を延ばす構成を採っている。そして、折返し部の流路面積を第２流路部の流路面積よりも大きくしているため、折返し部において空気溜まりが形成されやすくなる。折返し部に空気溜まりが存在すれば、たとえドレンポンプが止まったとしても、第１流路部から折返し部を経由して第２流路部へと流れた水が逆流してくることが抑制される。言い換えると、第１観点の排水機構によれば、空調室内機のドレンパンにドレン水が戻ってしまう不具合が起こりにくい。
【０００６】
なお、第２流路部は、内径が１３ｍｍ以下の配管なので、可撓性があり、例えば天井裏の空間において障害物を避けながら施工・設置することが容易となる。
【０００７】
第２観点の排水機構は、第１観点の排水機構であって、第２流路部は、湾曲部を含む金属製あるいは樹脂製の管である。
【０００８】
ここでは、第２流路部として、例えば、樹脂製のフレキシブルホースを採用して障害物を避けながら設置したり、銅管を採用したり、ポリ塩化ビニル製のパイプや継手を採用したりする。これらの湾曲部を含む管を採用することで、天井裏などの狭く障害物が多い空間であっても、第２流路部を容易に敷設することができる。
【０００９】
第３観点の排水機構は、第１観点又は第２観点の排水機構であって、第２流路部は、銅管である。
【００１０】
ここでは、第２流路部として、内径が１３ｍｍ以下の銅管を採用しているので、第２流路部の敷設が更に容易になる。
【００１１】
第４観点の排水機構は、第１観点から第３観点のいずれかの排水機構であって、第１流路部の流路面積は、第２流路部の流路面積よりも大きい。
【００１２】
ここでは、接続部と折返し部とを結ぶ第１流路部の流路面積を、第２流路部の流路面積よりも大きくしている。これにより、ドレンポンプから折返し部までの間における水の流れが滑らかになる。
【００１３】
第５観点の排水機構は、第４観点の排水機構であって、第１流路部の流路面積と、折返し部の流路面積とは、等しい。第１流路部及び折返し部は、連続している。
【００１４】
ここでは、第１流路部及び折返し部は、連続しており、流路面積が等しい。これにより、例えば、１つのフレキシブルホースの一部を第１流路部として使い、そのフレキシブルホースの残りの部分を折返し部として使うことができる。この場合には、部品点数を削減できる。また、施工作業が簡単になる。
【００１５】
第６観点の排水機構は、第１観点から第３観点のいずれかの排水機構であって、第１流路部の流路面積は、折返し部の流路面積よりも小さい。
【００１６】
ここでは、折返し部に比べて流路面積が小さい第１流路部を採用するため、例えば、第１流路部を曲げて施工すれば、空気調和機から離れた所望の場所に折返し部を設置することも可能となる。また、第１流路部が長い場合、コストを抑えられるというメリットも生じる。
【００１７】
第７観点の排水機構は、第１観点から第６観点のいずれかの排水機構であって、折返し部の最高点は、第１流路部の最高点よりも高い位置にあり、且つ、第２流路部の最高点よりも高い位置にある。折返し部の最高点は、折返し部の内部流路の中心線のうち、最も高さが高い点である。第１流路部の最高点は、第１流路部の内部流路の中心線のうち、最も高さが高い点である。第２流路部の最高点は、第２流路部の内部流路の中心線のうち、最も高さが高い点である。
【００１８】
第８観点の排水機構は、第１観点から第７観点のいずれかの排水機構であって、折返し部の内部流路の中心線のうち最も高さが高い最高点と、接続部との高さ方向の距離は、２００〜５００ｍｍである。
【００１９】
ここでは、ドレンポンプに接続される接続部に対し、２００ｍｍ以上高い位置に、折返し部の最高点を配置している。これにより、第２流路部から第１流路部へと水が逆流してくることを、より確実に抑えている。また、ここでは、折返し部の最高点の高さを、接続部よりも５００ｍｍ高い位置、あるいは、接続部よりも５００ｍｍ高い位置よりも低くなるようにしている。このように、折返し部の高さを無用に高くしていないので、ドレンポンプの容量を抑えることができる。
【００２０】
第９観点の排水機構は、第１観点から第８観点のいずれかの排水機構であって、折返し部の内部流路の中心線のうち最も高さが高い最高点と、第２端との高さ方向の距離は、５０〜７００ｍｍである。
【００２１】
ここでは、折返し部の最高点と第２端との距離を、５０ｍｍ以上確保している。これにより、第２流路部から第１流路部へと水が逆流してくることを、より確実に抑えている。また、ここでは、折返し部の最高点と第２端との距離を、７００ｍｍ以下にしている。これにより、第２端から延びる第２流路部の設置における制約が大きくなり過ぎないようにしている。第２端の高さ位置が低くなると、第２流路部を設置し難くなる。
【００２２】
第１０観点の排水機構は、第１観点から第９観点のいずれかの排水機構であって、折返し部は、容器である。
【００２３】
ここでは、折返し部として、管ではなく、容器を採用している。このため、折返し部の流路面積あるいは内部容積を大きくすることが容易である。これにより、折返し部に空気溜まりを存在させることが容易となる。
【００２４】
第１１観点の排水機構は、第１０観点の排水機構であって、容器は、弾性部材を有する。弾性部材は、その弾性変形によって、容器の内部流路を塞ぐ。
【００２５】
ここでは、ドレンポンプが止まって、仮に折返し部の内部の圧力が下がり、折返し部の空気溜まりが圧力低下によって縮んだとしても、弾性部材が内部流路を塞ぐ。このため、第２流路部から折返し部を経由して第１流路部へと水が逆流してくることが抑制される。
【００２６】
第１２観点の排水機構は、第１０観点の排水機構であって、容器は、切替部材を有する。切替部材は、内部空間と外部空間との連通状態と非連通状態とを切り替える。切替部材は、容器の内部空間の圧力が所定値未満に下がったときに、非連通状態から連通状態へと切り替わり、容器の外部空間の空気を容器の内部空間に取り込ませる。
【００２７】
ここでは、ドレンポンプが止まって、仮に折返し部の内部の圧力が下がっても、その圧力が所定値未満に下がったときには、切替部材が非連通状態から連通状態へと切り替わる。これにより、容器の外部空間の空気が容器の内部空間に取り込まれ、折返し部の内部の圧力が上がる。したがって、第１２観点の排水機構では、第２流路部から折返し部を経由して第１流路部へと水が逆流してくることが抑制されやすい。
【００２８】
第１３観点の排水機構は、空調室内機において水を受けるドレンパンから水を吸い上げるドレンポンプ、に接続される。この排水機構は、ドレンポンプに接続される接続部と、第３流路部と、第４流路部と、第５流路部と、第６流路部と、を備える。第３流路部は、接続部から上方に延びる。第４流路部は、第１端と第２端とを有する。第１端は、第３流路部の上端に接続される。第２端は、第１端とは反対側に位置する。第４流路部は、内部を流れる水の向きを、上向きから下向きに変える。第５流路部は、第４流路部の第２端から下方に延びる。第６流路部は、第５流路部から延びる。第６流路部は、内径が１３ｍｍ以下の配管である。第４流路部及び／又は第５流路部の流路面積は、第６流路部の流路面積よりも大きい。
【００２９】
第１３観点の排水機構では、水の向きを上向きから下向きに変える第４流路部を設け、その第４流路部の第２端から第５流路部を延ばし、さらに第５流路部から第６流路部を延ばす構成を採っている。そして、第４流路部及び／又は第５流路部の流路面積を第６流路部の流路面積よりも大きくしているため、第４流路部及び／又は第５流路部において空気溜まりが形成されやすくなる。第４流路部及び／又は第５流路部に空気溜まりが存在すれば、たとえドレンポンプが止まったとしても、第３流路部から第６流路部へと流れた水が逆流してくることが抑制される。言い換えると、第１３観点の排水機構によれば、空調室内機のドレンパンにドレン水が戻ってしまう不具合が起こりにくい。
【００３０】
なお、第６流路部は、内径が１３ｍｍ以下の配管なので、可撓性があり、例えば天井裏の空間において障害物を避けながら施工・設置することが容易となる。
【００３１】
第１４観点の排水機構は、第１３観点に記載の排水機構であって、第４流路部及び第５流路部は、１つの管であり、連続している。
【００３２】
第１５観点の排水機構は、第１４観点に記載の排水機構であって、第４流路部及び第５流路部は、１つの銅管である。第４流路部及び第５流路部の内径は、第６流路部の内径よりも大きい。
【００３３】
第１６観点の排水機構は、第１３観点から第１５観点のいずれかに記載の排水機構であって、第６流路部は、１又は複数の銅管から成る。
【００３４】
ここでは、第６流路部として、内径が１３ｍｍ以下の１又は複数の銅管を採用しているので、第６流路部の敷設が更に容易になる。
【００３５】
第１７観点の排水機構は、第１４観点又は第１５観点の排水機構であって、第４流路部及び第５流路部の内径は、第６流路部の内径の１．５倍以上である。
【００３６】
ここでは、第４流路部及び第５流路部と、第６流路部として、内径が異なる管を採用することによって、第４流路部及び／又は第５流路部の流路面積を第６流路部の流路面積よりも大きくしている。
【００３７】
なお、第４流路部及び第５流路部の内径は、第６流路部の内径の１．５倍以上とすることが好ましいが、さらに第６流路部の内径の２倍以上とすることが、より好ましい。この場合には、排水機構のコストが少し高くなるが、水の逆流の抑制度合いが更に高まる。
【００３８】
第１８観点の排水機構は、第１３観点から第１７観点のいずれかに記載の排水機構であって、第６流路部と連続する第７流路部、をさらに備える。第６流路部は、第５流路部と第７流路部との間に位置する。第７流路部の内部流路の中心線のうち最も高さが低い最低点の高さ位置は、第６流路部の内部流路の中心線のいずれの点に対しても低い位置にある。第７流路部の内部流路の中心線のうち最も高さが低い最低点の高さ位置は、ドレンパンの上端の高さ位置よりも低い位置にある。
【００３９】
ここでは、ドレンパンの上端の高さ位置よりも低い最低点を含む中心線を持つ第７流路部を設けている。これにより、第４流路部及び／又は第５流路部に空気溜まりを存在させることによって、水の逆流を抑制している場合に、その空気溜まりと第７流路部の最低点との高さ方向の距離を大きくすることができる。
【００４０】
第１９観点の排水機構は、第１８観点に記載の排水機構であって、第７流路部と連続する第８流路部、をさらに備える。第８流路部の内部流路の中心線は、いずれの点においても、その高さ位置が、第７流路部の最低点の高さ位置よりも高い。第８流路部は、外部に水を排出するための排出流路と、第７流路部と、の間に位置する。
【００４１】
第２０観点の排水機構は、第１３観点から第１９観点のいずれかに記載の排水機構であって、ドレンポンプの内部容積、接続部の内部容積、第３流路部の内部容積、及び、第４流路部の内部容積のうち第４流路部の流路下面の最高点の高さ位置よりも低く且つ第３流路部と連続している部分の容積、の合計容積が、ドレンパンの内部空間のうちドレンポンプが動いているときのドレンパンの水位よりも高い空間の容積よりも小さい。
【００４２】
空調システムは、空調室内機と、ドレンポンプと、排水機構とを備えている。空調室内機は、ドレンパンと、そのドレンパンの上に配置される熱交換器とを有する。ドレンポンプは、ドレンパンから水を吸い上げる。排水機構は、第１観点から第２０観点のいずれかに記載の排水機構であって、ドレンポンプに接続される。
【図面の簡単な説明】
【００４３】
【図１】排水機構が接続される空調室内機を有する空気調和装置の冷媒回路等を示す図。
【図２】天井裏の空間に配置される空調室内機及び第１実施形態の排水機構を示す模式図。
【図３Ａ】第１実施形態の空調室内機及び排水機構の概略図。
【図３Ｂ】図３Ａに示す排水機構の拡大図。
【図４】第１実施形態の空調室内機及び排水機構の斜視図。
【図５】第２実施形態の排水機構の模式図。
【図６】第２実施形態の排水機構の容器の模式図。
【図７Ａ】第２実施形態の変形例２Ａの排水機構の容器の一状態を示す模式図。
【図７Ｂ】第２実施形態の変形例２Ａの排水機構の容器の他の状態を示す模式図。
【図８】第３実施形態の空調室内機及び排水機構の概略図。
【図９】第３実施形態の変形例３Ｃの排水機構の概略図。
【図１０】第３実施形態の変形例３Ｄの排水機構の概略図。
【発明を実施するための形態】
【００４４】
以下で説明する排水機構は、空気調和装置の空調室内機、特に、天井設置型の空調室内機に接続される。空気調和装置１０やその空調室内機１２は、建物に設置された後、排水機構と一体となって空調システムを構成する。
【００４５】
図１に示すように、空気調和装置１０は、冷媒配管方式の分散型の空気調和装置であって、蒸気圧縮式の冷凍サイクル運転を行うことによって建物内の各室を冷暖房する。空気調和装置１０は、空調室外機１１と、多数の空調室内機１２と、空調室外機１１と空調室内機１２とを接続する冷媒連絡管としての液冷媒連絡管１３及びガス冷媒連絡管１４と、を備えている。図１に示す空気調和装置１０の冷媒回路は、空調室外機１１と、空調室内機１２と、冷媒連絡管１３，１４とが接続されることによって、構成されている。図１に示す冷媒回路内には、冷媒が封入されており、冷媒が圧縮され、冷却・凝縮され、減圧され、加熱・蒸発された後に、再び圧縮されるという冷凍サイクル運転が、空気調和装置１０において行われる。
【００４６】
空調室外機１１は、建物の外あるいは建物の地下室などに設置され、冷媒連絡管１３，１４を介して空調室内機１２に接続されている。空調室外機１１は、主として、圧縮機２０と、四路切換弁１５と、室外熱交換器３０と、室外膨張弁４１と、室外ファン３５と、液側閉鎖弁１７と、ガス側閉鎖弁１８と、を有している。
【００４７】
空調室内機１２は、図２に示すように、各室の天井９１に設置されており、冷媒連絡管１３，１４を介して空調室外機１１に接続されている。空調室内機１２は、主として、室内膨張弁４２と、室内熱交換器５０と、室内ファン５５と、ドレンパン５７と、ドレンポンプ５９と、を有している。
【００４８】
室内熱交換器５０は、冷媒の蒸発器又は凝縮器として機能する熱交換器である。室内熱交換器５０は、その一端が室内膨張弁４２に接続され、その他端がガス冷媒連絡管１４に接続されている。
【００４９】
室内熱交換器５０が蒸発器として機能する冷房運転時には、室内熱交換器５０の表面に結露水が発生する。この結露水を受けるために、ドレンパン５７が設けられている。
【００５０】
ドレンパン５７に流れ落ちた結露水は、ドレンポンプ５９によって、ドレン水として空調室内機１２の外部に排出される。ドレンポンプ５９の吐出側には、接続口５９ａが設けられている。この接続口５９ａに、後述の排水機構６０の接続部６２ａが接続される。接続口５９ａは、空調室内機１２のケーシング１２ａの側板から突出する銅管の先端開口である。
【００５１】
ドレンポンプ５９は、ドレン水に圧力をかけて排水機構６０へと送り出すポンプである。
【００５２】
冷媒連絡管１３，１４は、空調室外機１１及び空調室内機１２を建物に設置する際に、現地にて施工される冷媒配管である。図２に示すように、後述の排水機構６０と同じように、冷媒連絡管１３，１４も天井裏の空間９０を通る。
【００５３】
＜第１実施形態＞
（１）排水機構の全体構成
第１実施形態の排水機構６０は、図２及び図３Ａに示すように、天井９１の近傍に設置される空調室内機１２から排出されるドレン水（結露水）を、建物の外部あるいは建物の排水溝に流すための機構である。排水機構６０は、空調室内機１２においてドレンパン５７からドレン水を吸い上げるドレンポンプ５９に接続される。排水機構６０は、ドレンポンプ５９の接続口５９ａに接続される接続部６２ａと、第１流路部６４と、折返し部６５と、第２流路部６８と、を備えている。
【００５４】
（２）排水機構の詳細構成
（２−１）接続部を有するエルボ
排水機構６０の接続部６２ａは、図３Ａ及び図３Ｂに示すように、継手であるエルボ６２の一方の端部である。エルボ６２の上向きの他方の端部には、フレキシブルホース６３が接続されている。
【００５５】
（２−２）第１流路部及び折返し部が一体化されたフレキシブルホース
フレキシブルホース６３は、エルボ６２から上に真っ直ぐに延びる第１流路部６４と、湾曲部を含む折返し部６５とが連続する、断熱機能を持つホースである。折返し部６５は、第１流路部６４の上端に接続される第１端６５ａと、その第１端６５ａとは反対側の第２端６５ｂとを有している。折返し部６５は、内部を流れるドレン水の向きを、上向きから下向きに変える。折返し部６５の第２端６５ｂは、フレキシブルホース６３の先端に接続されたカップリング６６の下端の接続口である。なお、本実施形態において、第１端６５ａは、連続する第１流路部６４と折返し部６５との境界である。
【００５６】
フレキシブルホース６３の第１流路部６４の流路面積と、折返し部６５の流路面積とは、等しい。これらの第１流路部６４及び折返し部６５の流路面積は、後述の第２流路部６８（銅管）の流路面積よりも大きい。フレキシブルホース６３の内径は、約１９ｍｍである。
【００５７】
（２―３）第２流路部としての銅管
折返し部６５の第２端６５ｂから下向きに延びる第２流路部６８は、湾曲部６８ｃを含む銅管である。第２流路部６８としての銅管の内径は、１３ｍｍ以下である。ここでは、第２流路部６８として、外径が１２．７ｍｍ、内径が１１．１ｍｍ、肉厚が０．８ｍｍの銅管を使っている。
【００５８】
第２流路部６８としての銅管は、図２に示すように、建物の天井裏の空間９０に存在する梁９３などを避けるように、空気調和装置１０の設置施工業者によって、天井裏の空間９０において手で曲げられる。第２流路部６８は、各部で高さ位置を変えながら、最終的には建物の外部にドレン水を排出する排出用集合管７０（図３Ａ参照）に接続される。ドレンポンプ５９がドレン水を圧送するため、第２流路部６８としての銅管は、勾配を考慮して設置を行う必要はない。
【００５９】
但し、排出用集合管７０までの距離が長くなりすぎるとドレンポンプ５９の能力を超えてしまうため、第２流路部６８としての銅管は、２０ｍ以下とすることが好ましい。
【００６０】
また、第２流路部６８としての銅管は、第２端６５ｂから下向きに延びる鉛直管部６８ａと、鉛直管部６８ａから水平方向に沿って延びる水平管部６８ｂとを有することが好ましい。鉛直管部６８ａの長さは、ある程度の長さを確保することが好ましい。以下で、鉛直管部６８ａの長さに関係する寸法Ｈ３について述べる。
【００６１】
（２−４）第１流路部、第２流路部、及び、折返し部の、相対位置関係
排水機構６０では、図３Ｂに示すように、折返し部６５の最高点６５Ｔは、第１流路部６４の最高点６４Ｔよりも高い位置にあり、且つ、第２流路部６８の最高点６８Ｔよりも高い位置にある。折返し部６５の最高点６５Ｔは、折返し部６５の内部流路の中心線６５Ｃのうち、最も高さが高い点である。第１流路部６４の最高点６４Ｔは、第１流路部６４の内部流路の中心線６４Ｃのうち、最も高さが高い点である。第２流路部６８の最高点６８Ｔは、第２流路部６８の内部流路の中心線６８Ｃのうち、最も高さが高い点である。
【００６２】
排水機構６０では、図３Ｂに示す寸法Ｈ１，Ｈ２，Ｈ３が、それぞれ
Ｈ１＝２００〜５００ｍｍ
Ｈ２＝５０〜７００ｍｍ
Ｈ３＜（Ｈ１−１００）ｍｍ
となるように決められる。寸法Ｈ１は、折返し部６５の最高点６５Ｔと接続部６２ａの中心との高さ方向の距離である。寸法Ｈ２は、折返し部６５の最高点６５Ｔと第２端６５ｂとの高さ方向の距離である。寸法Ｈ３は、折返し部６５の最高点６５Ｔと第２流路部６８の水平管部６８ｂの内部流路の中心線との高さ方向の距離である。
【００６３】
第２流路部６８としての銅管は、水平管部６８ｂよりも先の部分については、水平管部６８ｂの高さ位置よりも低い空間において設置される。排出用集合管７０まで下がり勾配である必要はないが、水平管部６８ｂから排出用集合管７０までは、水平管部６８ｂの高さ位置よりも高い空間に銅管が上がることがないように、天井裏の空間９０に設置される。
【００６４】
（３）特徴
（３−１）
排水機構６０では、ドレンポンプ５９で圧送するドレン水の向きを上向きから下向きに変える折返し部６５を設け、その折返し部６５の第２端６５ｂから第２流路部６８としての銅管を延ばす構成を採っている。そして、折返し部６５の流路面積を第２流路部６８の流路面積よりも大きくしているため、折返し部６５において空気溜まりが形成されやすくなる。折返し部６５に空気溜まりが存在すれば、たとえドレンポンプ５９が止まったとしても、第１流路部６４から折返し部６５を経由して第２流路部６８へと流れた結露水が逆流してくることが抑制される。言い換えると、排水機構６０では、空調室内機１２のドレンパン５７にドレン水が戻ってしまう不具合が起こりにくくなっている。
【００６５】
なお、空気溜まりは、折返し部６５において空気で満たされる空間である。流路面積は、水が流れる方向に直交する平面で切ったときの各部における流路面積の平均である。銅管である第２流路部６８の流路面積は、その銅管の内径から計算で求められる面積である。
【００６６】
（３−２）
排水機構６０では、第２流路部６８としての銅管の内径が、１３ｍｍ以下である。この銅管は、可撓性があり、図２に示すように、天井裏の空間９０において梁９３などの障害物を避けながら施工・設置することができる。
【００６７】
（３−３）
排水機構６０では、第１流路部６４の流路面積は、第２流路部６８の流路面積よりも大きい。このため、折返し部６５までの流路抵抗が小さくなり、ドレンポンプ５９から折返し部６５までのドレン水の流れが滑らかになる。また、ドレンポンプ５９から折返し部６５までの間で流路が詰まる恐れが減る。これにより、排水機構６０の流路に詰まりが生じたときには、第２流路部６８としての銅管だけをメンテナンスすれば良くなる。
【００６８】
（３−４）
排水機構６０では、第１流路部６４及び折返し部６５が一体化されたフレキシブルホース６３を採用している。これにより、部品点数を削減できる。また、施工作業が簡単になる。部品調達費用や施工費用の面で、コストダウンのメリットも生じる。
【００６９】
（３−５）
排水機構６０では、ドレンポンプ５９に接続される接続部６２ａに対し、２００ｍｍ以上高い位置に、折返し部６５の最高点６５Ｔを配置している。これにより、第２流路部６８から第１流路部６４へとドレン水が逆流してくることを、より確実に抑制している。
【００７０】
また、排水機構６０では、折返し部６５の最高点６５Ｔの高さを、接続部６２ａよりも５００ｍｍ高い位置に、あるいは、接続部６２ａよりも５００ｍｍ高い位置よりも低くなるようにしている。このように、折返し部６５の高さを無用に高くしていないので、ドレンポンプ５９の容量を抑えることができている。
【００７１】
（３−６）
排水機構６０では、折返し部６５の最高点６５Ｔと第２端６５ｂとの高さ方向の距離（寸法Ｈ２）は、５０〜７００ｍｍである。
【００７２】
ここでは、寸法Ｈ２を、５０ｍｍ以上確保している。これにより、第２流路部６８から第１流路部６４へとドレン水が逆流してくることが、より確実に抑制されている。
【００７３】
また、ここでは、寸法Ｈ２を、７００ｍｍ以下にしている。これにより、第２端６５ｂから延びる第２流路部６８の設置における制約が大きくなり過ぎないようにしている。第２端６５ｂの高さ位置が低くなると、第２流路部６８を設置し難くなる。
【００７４】
（４）変形例
（４−１）変形例１Ａ
上記の第１実施形態の排水機構６０では、第２流路部６８として、銅管を採用している。この銅管に代えて、他の金属製の管、あるいは、樹脂製の管を採用してもよい。
【００７５】
例えば、第２流路部６８として、フレキシブルホース６３よりも流路面積が小さいフレキシブルホースを採用して、障害物を避けながら設置してもよい。また、第２流路部６８として、ポリ塩化ビニル製のパイプや継手を採用することもできる。これらの管を第２流路部６８として採用した場合にも、天井裏の狭く障害物が多い空間９０であっても、第２流路部６８を容易に敷設することができる。
【００７６】
（４−２）変形例１Ｂ
上記の第１実施形態の排水機構６０では、エルボ６２やカップリング６６を用いているが、フレキシブルホース６３の一端をドレンポンプ５９の接続口５９ａに直接的につなげてもよいし、フレキシブルホース６３の他端に第２流路部６８を直接的につなげてもよい。
【００７７】
（４−３）変形例１Ｃ
上記の第１実施形態の排水機構６０は、天井９１の近傍に設置される空調室内機１２から排出されるドレン水（結露水）を、建物の外部あるいは建物の排水溝に流すための機構である。しかし、排水機構６０は、天井の近傍に設置される加湿装置から排出される余分な水を建物外に流す機構として、採用することもできる。
【００７８】
（４−４）変形例１Ｄ
上記の第１実施形態の排水機構６０では、第２流路部６８としての銅管は、水平管部６８ｂよりも先の部分については、水平管部６８ｂの高さ位置よりも低い空間において設置される。しかし、水平管部６８ｂは、設けても、設けなくてもよい。
【００７９】
また、上記の第１実施形態の排水機構６０では、水平管部６８ｂから排出用集合管７０までは、水平管部６８ｂの高さ位置よりも高い空間に銅管が上がることがないように、天井裏の空間９０に設置されている。しかし、障害物を回避する等のために、水平管部６８ｂの高さ位置よりも高い空間に銅管が上がっても、第２流路部６８としての銅管の一部が天井裏の空間９０の低い位置を通っていれば、空調室内機１２のドレンパン５７にドレン水が戻ってしまう不具合は抑制できる。
【００８０】
＜第２実施形態＞
（１）排水機構の全体構成
上記の第１実施形態の排水機構６０では、第１流路部６４及び折返し部６５が一体化されたフレキシブルホース６３を採用しているが、これに代えて、図５及び図６に示す容器１６５及び第１流路部１６４としての銅管を採用した排水機構１６０としてもよい。
【００８１】
排水機構１６０は、ドレンポンプ５９に接続される接続部１６２及び第１流路部１６４としての銅管と、折返し部として機能する容器１６５と、第２流路部６８としての銅管と、を備えている。
【００８２】
（２）排水機構の詳細構成
（２−１）接続部、第１流路部及び第２流路部
接続部１６２及び第１流路部１６４としての銅管と、第２流路部６８としての銅管とは、同じサイズの銅管である。第１流路部１６４としての銅管は、ドレンポンプ５９の接続口から、上方に位置する容器１６５に向かって延びる。第１流路部１６４としての銅管の下端は、ドレンポンプ５９に接続される接続部１６２となっている。第２流路部６８としての銅管は、上述の第１実施形態と同様の銅管である。
【００８３】
（２−２）容器
容器１６５は、ゴムなどの柔らかい素材で作られており、音が響かないようにされている。容器１６５は、図６に示すように、第１流路部１６４としての銅管と、第２流路部６８としての銅管との間で、ドレン水を第１流路部１６４から第２流路部６８へと流す役割を果たす。容器１６５の流路面積は、第１流路部１６４及び第２流路部６８の流路面積よりも大きい。容器１６５の内部に挿入された第１流路部１６４としての銅管の上端は、容器１６５の第１端１６５ａとなる。第１流路部１６４としての銅管の上端は、第２流路部６８としての銅管の上端よりも高い位置にあり、ドレン水の逆流を抑制している。容器１６５の内部に挿入された第２流路部６８としての銅管の上端は、容器１６５の第２端１６５ｂとなる。
【００８４】
なお、容器１６５の流路面積とは、第１端１６５ａから第２端１６５ｂへと向かって流れるドレン水の流れ方向に直交する平面で容器１６５を切断したときの、容器１６５の内部の面積を指す。図６に示すように、第１端１６５ａに近い位置で切断したときと、第２端１６５ｂに近い位置で切断したときとでは、容器１６５の内部の面積が異なる。ここでは、容器１６５内のドレン水の流れ方向に直交する各平面で切断したときの容器１６５の内部の面積の平均値を、容器１６５の流路面積と定義する。
【００８５】
容器１６５は、切替部材１６５ｃを有している。切替部材１６５ｃは、可撓性のあるゴム製の部材であり、容器１６５の内部空間と容器１６５の外部空間との連通状態／非連通状態を切り替える。切替部材１６５ｃは、容器１６５の内部空間の圧力が所定値未満に下がったときに、非連通状態から連通状態へと切り替わり、容器１６５の外部空間の空気を容器１６５の内部空間に取り込ませる。図６に示す切替部材１６５ｃの状態は、連通状態である。なお、ドレンポンプ５９が動いており、容器１６５の内部空間の圧力が高いときには、ゴム製の切替部材１６５ｃは非連通状態になっており、図６の切替部材１６５ｃの上の隙間は塞がれる。
【００８６】
容器１６５は、消音部材１６５ｄを有する。消音部材１６５ｄは、第１流路部１６４と第２流路部６８との間の音の伝播を抑制する。消音部材１６５ｄは、音源と逆向きに湾曲しており、消音効果が高くなっている。
【００８７】
容器１６５の第２端１６５ｂの周囲には、傾斜部１６５ｅが形成されている。容器１６５の傾斜部１６５ｅは、ドレン水が溜まらないように、緩やかな傾斜をつけられている。
【００８８】
（３）特徴
（３−１）
排水機構１６０では、折返し部として、管ではなく、容器１６５を採用している。このため、折返し部としての容器１６５の流路面積や内部容積が大きくなっている。このため、折返し部として機能する容器１６５の内部空間に、大きな空気溜まりができる。これにより、第１流路部１６４から容器１６５を経由して第２流路部６８へと流れた結露水が逆流してくることが抑制される。
【００８９】
（３−２）
排水機構１６０では、折返し部として機能する容器１６５に比べて流路面積が小さい第１流路部１６４（銅管）を採用する。このため、第１流路部１６４としての銅管を曲げれば、空調室内機１２から離れた所望の場所に容器１６５を設置することが可能となっている。
【００９０】
（３−３）
排水機構１６０では、容器１６５は、切替部材１６５ｃを有する。このため、ドレンポンプ５９が止まり、容器１６５の内部の圧力が下がったとしても、その圧力が所定値未満に下がったときには、切替部材１６５ｃが非連通状態から連通状態へと切り替わる。これにより、容器１６５の外部空間の空気が容器１６５の内部空間に取り込まれ、容器１６５の内部の圧力が上がる。したがって、排水機構１６０では、容器１６５の内部の空気溜まりの圧力低下によってドレン水が逆流するような現象が、生じ難くなっている。
【００９１】
（３−４）
排水機構１６０では、容器１６５は、消音部材１６５ｄを有する。排水機構１６０では、容器１６５の空気溜まりの影響でドレン水が通過するときに異音が生じる恐れがあるが、容器１６５が消音部材１６５ｄを有しているため、空調室内機１２の設置空間に大きな音が漏れる現象を抑制することができている。
【００９２】
（４）変形例
（４−１）変形例２Ａ
上記の第２実施形態の排水機構１６０では、第１流路部１６４と第２流路部６８との間に、容器１６５を配置している。これに代えて、図７Ａ及び図７Ｂに示す容器２６５を採用する排水機構２６０としてもよい。
【００９３】
排水機構２６０は、排水機構１６０の容器１６５に代えて、容器２６５を採用した排水機構である。容器２６５は、剛性が低いゴム製の上部２６５ｃと、剛性が高い下部２６５ｄとを有している。下部２６５ｄの下端には、第１流路部１６４としての銅管が接続される第１端２６５ａと、第２流路部６８としての銅管が接続される第２端２６５ｂとの、２つの接続口が形成されている。
【００９４】
容器２６５の上部２６５ｃは、その弾性変形によって、図７Ｂに示すように、容器２６５の内部流路を塞ぐ。これにより、ドレンポンプ５９が止まって、仮に容器２６５の内部の圧力が下がったとしても、容器２６５の形状が変化して内部流路が塞がれる。したがって、排水機構２６０でも、第２流路部６８から容器２６５を経由して第１流路部１６４へとドレン水が逆流する現象を抑えることができる。
【００９５】
（４−２）変形例２Ｂ
上記の第２実施形態の排水機構１６０では、ゴムなどの柔らかい素材で作られた容器１６５を採用している。これに代えて、容器全体を、剛性が高い樹脂や金属などの素材で作ってもよい。
【００９６】
＜第３実施形態＞
（１）排水機構の全体構成
第３実施形態の排水機構５００は、図８に示すように、天井９１の近傍に設置される空調室内機１２から排出されるドレン水（結露水）を、建物の外部あるいは建物の排水溝に流すための機構である。排水機構５００は、空調室内機１２においてドレンパン５７からドレン水を吸い上げるドレンポンプ５９に接続される。排水機構５００は、ドレンポンプ５９の接続口５９ａに接続される接続部５２０と、第３流路部５３０と、第４流路部５４０と、第５流路部５５０と、第６流路部５６０と、第７流路部５７０と、第８流路部５８０と、を備えている。
【００９７】
（２）排水機構の詳細構成
（２−１）接続部
排水機構５００の接続部５２０は、主として、ドレンポンプ５９の接続口５９ａに嵌められる塩化ビニル管５２１と、塩化ビニル管５２１に接続される小径銅管５２２と、小径銅管５２２にフレア接続されるエルボ５２３とを有している。小径銅管５２２は、外径が９．５２ｍｍ、肉厚が０．８ｍｍの銅管である。本明細書では、これらの外径及び肉厚である銅管を、小径銅管と呼ぶ。小径銅管は、日本における、呼び径（ＪＲＡ）が３分の銅管である。小径銅管の内径は、約７．９ｍｍである。エルボ５２３も、銅製の継手であって、外径が９．５２ｍｍ、肉厚が０．８ｍｍである。
【００９８】
（２−２）第３流路部、第４流路部及び第５流路部としてのＵ字状の大径銅管
図８に示すＵ字状の第３流路部５３０、第４流路部５４０及び第５流路部５５０は、１つの大径銅管である。Ｕ字状の大径銅管は、外径が２２．２２ｍｍ、肉厚が約１ｍｍの銅管である。本明細書では、これらの外径及び肉厚である銅管を、大径銅管と呼ぶ。大径銅管は、日本における、呼び径（ＪＲＡ）が７分の銅管である。大径銅管の内径は、約２０ｍｍである。
【００９９】
第３流路部５３０は、Ｕ字状の大径銅管のうち、接続部５２０から上方に延びる部分である。第４流路部５４０は、Ｕ字状の大径銅管のうち、内部を流れる水の向きを、上向きから下向きに変える部分である。第４流路部５４０は、第１端５４１と第２端５４２とを有する。第１端５４１は、第３流路部５３０の上端に接続される。第２端５４２は、第１端５４１とは反対側に位置する。第５流路部５５０は、Ｕ字状の大径銅管のうち、第４流路部５４０の第２端５４２から下方に延びる部分である。
【０１００】
第４流路部５４０の内部流路の中心線のうち最も高さが高い点と、接続部５２０が接続されるドレンポンプ５９の接続口５９ａとの高さ方向の距離Ｈ４（図８参照）は、２００ｍｍ以上を確保することが好ましい。ここでは、距離Ｈ４が２５０〜５００ｍｍになるように、排水機構５００が設置される。
【０１０１】
（２―３）第６流路部、第７流路部及び第８流路部としての小径銅管
第６流路部５６０、第７流路部５７０及び第８流路部５８０としての銅管は、上述の小径銅管である。１又は複数の小径銅管から成る第６流路部５６０、第７流路部５７０及び第８流路部５８０は、建物の天井裏の空間９０に存在する梁などを避けるように、設置施工業者によって、天井裏の空間９０において手で曲げられる。第６流路部５６０、第７流路部５７０及び第８流路部５８０は、各部で高さ位置を変えながら、最終的には建物の外部にドレン水を排出する排出用集合管７０に接続される。ドレンポンプ５９がドレン水を圧送するため、第６流路部５６０、第７流路部５７０及び第８流路部５８０としての小径銅管は、勾配を考慮して設置を行う必要はない。
【０１０２】
第６流路部５６０は、第５流路部５５０の下部から延びる。小径銅管である第６流路部５６０の流路面積は、内径が７．９ｍｍであるので、約４９ｍｍ２である。一方、第４流路部５４０及び第５流路部５５０を含む上述の大径銅管の流路面積は、内径が約２０ｍｍであるので、約３１４ｍｍ２である。第４流路部５４０及び第５流路部５５０の内径約２０ｍｍは、第６流路部の内径７．９ｍｍよりも大きく、第６流路部の内径７．９ｍｍの約２．５倍となっている。
【０１０３】
第７流路部５７０は、第６流路部５６０と連続する小径銅管の一部分である。第７流路部５７０は、第６流路部５６０と第８流路部５８０との間に位置する。図８に示すように、第７流路部５７０の内部流路の中心線のうち最も高さが低い最低点５７０ａの高さ位置Ｈ５７０は、第６流路部５６０の内部流路の中心線のいずれの点に対しても低い位置にある。そして、第７流路部５７０の最低点５７０ａの高さ位置Ｈ５７０は、ドレンパン５７の上端の高さ位置Ｈ５７よりも低い位置にある。
【０１０４】
第８流路部５８０の内部流路の中心線は、図８に示すように、いずれの点においても、その高さ位置が、第７流路部５７０の最低点５７０ａの高さ位置Ｈ５７０よりも高い。第８流路部５８０は、建物の外部にドレン水を排出する排出用集合管７０と、第７流路部５７０と、の間に位置する。言い換えると、第７流路部５７０の最低点５７０ａは、第５流路部５５０の下部から延びる小径銅管（第６流路部５６０、第７流路部５７０及び第８流路部５８０）の内部流路の中心線のうち、最も高さが低い点である。第８流路部５８０は、フレア接続部５８１を介して、排出用集合管７０から延びる枝管に接続される。第８流路部５８０の長さは、２〜４ｍが好ましい。
【０１０５】
（３）特徴
（３−１）
排水機構５００では、第６流路部５６０等が小径銅管なので、可撓性がある。このため、天井裏の空間９０において障害物を避けながら第６流路部５６０、第７流路部５７０及び第８流路部５８０を施工・設置することが容易である。
【０１０６】
反面、内径が７．９ｍｍ、流路面積が約４９ｍｍ２の小径銅管であるため、第６流路部５６０、第７流路部５７０及び第８流路部５８０がドレン水で埋まる（シールされる）状況が生じることが多い。ドレン水の発生量が多い時間帯では、特に、第６流路部５６０、第７流路部５７０及び第８流路部５８０がドレン水で満たされた状態で、ドレン水が圧送される状態が続くことになる。このような状態において、ドレンポンプ５９が止まると、第３流路部５３０から第６流路部５６０へと流れた水が逆流してくることが想定される。
【０１０７】
これに鑑み、排水機構５００では、ドレンポンプ５９で圧送するドレン水の向きを上向きから下向きに変える第４流路部５４０を設け、その第４流路部５４０の第２端５４２から第５流路部５５０を下に延ばし、さらに第５流路部５５０から第６流路部５６０を延ばす構成を採っている。そして、第４流路部５４０及び第５流路部５５０の流路面積（約３１４ｍｍ２）を第６流路部５６０の流路面積（約４９ｍｍ２）よりも大きくしているため、第４流路部５４０及び第５流路部５５０の少なくとも一方において空気溜まりが形成される。第４流路部５４０及び／又は第５流路部５５０に空気溜まりが存在すれば、たとえドレンポンプ５９が止まったとしても、第３流路部５３０から第６流路部５６０へと流れた水が逆流してくることが抑制される。言い換えると、排水機構５００によれば、空調室内機１２のドレンパン５７にドレン水が戻ってしまう現象が起こりにくい。
【０１０８】
なお、排水機構５００では、ドレンポンプ５９によって８００ｃｃ／分の流量のドレン水を流しているときに、第４流路部５４０から第５流路部５５０にかけて、約５０ｃｃの空気溜まりができる。空気溜まりは、第４流路部５４０及び第５流路部５５０において空気で満たされる空間である。
【０１０９】
（３−２）
排水機構５００では、ドレンパン５７の上端の高さ位置Ｈ５７よりも高さ位置が低い最低点５７０ａを含む中心線を持つ第７流路部５７０を設けている。言い換えると、Ｕ字状の大径銅管から排出用集合管７０に向かって延びる小径銅管（第６流路部５６０、第７流路部５７０及び第８流路部５８０）の天井裏における敷設時に、ドレンパン５７の上端の高さ位置Ｈ５７よりも小径配管の一部が低くなるように、トラップを作るようにしている。図８に示すように、第７流路部５７０は、いわゆるトラップの役割を果たす。
【０１１０】
この第７流路部５７０を設けているため、ドレンポンプ５９が止まり、接続部５２０や第３流路部５３０に存在する水の一部がドレンパン５７側に落ち、第４流路部５４０や第５流路部５５０の空気溜まりが少しドレンパン５７側に移動したとしても、その空気溜まりと第７流路部５７０の最低点５７０ａとの高さ方向の距離を十分に確保することができる。これにより、小径銅管（第６流路部５６０、第７流路部５７０及び第８流路部５８０）に存在している水までがドレンパン５７へと逆流してしまう現象を阻止することができている。
【０１１１】
なお、排水機構５００では、第７流路部５７０の最低点５７０ａの高さ位置Ｈ５７０がドレンパン５７の上端の高さ位置Ｈ５７よりも低くなるように、小径銅管（第６流路部５６０、第７流路部５７０及び第８流路部５８０）を敷設しているが、空調室内機１２の外からドレンパン５７の上端の高さ位置Ｈ５７を認識することが難しいこともある。また、Ｕ字状の大径配管の中の空気溜まりと第７流路部５７０の最低点５７０ａとの高さ方向の距離は、なるべく大きくすることが望まれる。このため、第７流路部５７０の最低点５７０ａを、ドレンパン５７の下端の高さ位置よりも低い位置、さらには、空調室内機１２の下面の高さ位置よりも低い位置、まで降ろすことが好ましい。
【０１１２】
（４）変形例
（４−１）変形例３Ａ
上記の第３実施形態の排水機構５００では、Ｕ字状の大径銅管によって第３流路部５３０、第４流路部５４０及び第５流路部５５０を形成しているが、これに代えて、第４流路部５４０及び第５流路部５５０のみを大径銅管によって形成し、第３流路部５３０を小径銅管によって形成してもよい。この場合にも、第４流路部５４０及び第５流路部５５０の少なくとも一方において空気溜まりが形成され、第６流路部５６０から水が逆流してくることが抑制される。
【０１１３】
（４−２）変形例３Ｂ
上記の第３実施形態の排水機構５００では、最低点５７０ａを含む第７流路部５７０と排出用集合管７０との間に、第８流路部５８０を設けている。第８流路部５８０は、図８に示すように、第７流路部５７０から斜め上に延びている。このような構成に代えて、第７流路部５７０が、その最低点５７０ａから水平に長く延びて、排出用集合管７０に接続される構成であってもよい。
【０１１４】
（４−３）変形例３Ｃ
上記の第３実施形態の排水機構５００では、空調室内機１２のドレンパン５７のサイズについて触れていないが、ドレンパン５７のサイズと、ドレンポンプ５９及び排水機構５００の接続部５２０〜第４流路部５４０のサイズとの関係は、以下に説明する大小関係になっていることが好ましい。
【０１１５】
図９に示すように、ドレンパン５７の内部容積のうち、ドレンポンプ５９のドレン吸込口５９Ｂの高さ位置よりも上に位置し且つドレンパン５７の側壁の上端５７Ｔの高さ位置よりも下に位置する部分の容積を、容積Ｑとする。通常、ドレンポンプ５９が動いていると、ドレンポンプ５９のドレン吸込口５９Ｂが、概ねドレンパン５７の水位になる。したがって、容積Ｑは、ドレンパン５７の内部空間のうち、ドレン水が存在しておらず大気開放されている空間の容積であると言える。また、容積Ｑは、排水機構５００からドレン水が逆流してドレンパン５７に戻ってきたときに、その逆流ドレン水をドレンパン５７内に保持し得る最大容積であると言える。
【０１１６】
この容積Ｑが、変形例３Ｃでは、図９に示す容積Ｖを上回る。逆に言うと、容積Ｑが容積Ｖを上回るように、ドレンポンプ５９及び排水機構５００の接続部５２０〜第４流路部５４０のサイズを決めている。容積Ｖは、ドレンポンプ５９の内部容積、排水機構５００の接続部５２０の内部容積、第３流路部５３０の内部容積、及び、第４流路部５４０の内部容積のうち第４流路部５４０の流路下面５４０Ｂの頂点（最高点）の高さ位置よりも低く且つ第３流路部５３０と連続している部分の容積、の合計容積である。
【０１１７】
この変形例３Ｃの構成によれば、もしもドレンポンプ５９が故障して、図９において容積Ｖで示す空間にあるドレン水が、排水機構５００及びドレンポンプ５９から逆流してドレンパン５７に戻ってきた場合にも、ドレン水がドレンパン５７から溢れない。また、変形例３Ｃの構成によれば、ドレンポンプ５９として逆止弁を内蔵しないドレンポンプを使用したとしても、ドレンポンプ５９の停止時に排水機構５００及びドレンポンプ５９から逆流してきたドレン水によってドレンパン５７からドレン水が溢れてしまう不具合は生じない。
【０１１８】
（４−４）変形例３Ｄ
上記の第３実施形態の排水機構５００では、Ｕ字状の大径銅管によって第３流路部５３０、第４流路部５４０及び第５流路部５５０を形成している。これらに代えて、図１０に示す第３流路部６３０、第４流路部６４０及び第５流路部６５０を採用する排水機構６００をドレンポンプ５９に接続してもよい。図１０に示す排水機構６００では、上記の変形例３Ｃと同様に、ドレンパン５７の内部容積のうち、ドレンポンプ５９が動いているときのドレンパン５７の水位（ドレンポンプ５９のドレン吸込口５９Ｂの高さ位置）よりも上に位置し且つドレンパン５７の側壁の上端５７Ｔの高さ位置よりも下に位置する部分の容積が、容積Ｑである。
【０１１９】
この容積Ｑが、変形例３Ｄでは、図１０に示す容積Ｖ１を上回る。逆に言うと、容積Ｖ１が容積Ｑを下回るように、ドレンポンプ５９及び排水機構６００の接続部５２０〜第３流路部６３０のサイズと、接続部６４０の形状とを決めている。容積Ｖ１は、ドレンポンプ５９の内部容積、排水機構６００の接続部５２０の内部容積、第３流路部６３０の内部容積、及び、第４流路部６４０の内部容積のうち第４流路部６４０の流路下面の最高点の高さ位置よりも低く且つ第３流路部６３０と連続している部分の容積、の合計容積である。但し、変形例３Ｄでは、第４流路部６４０の内部容積のうち第４流路部６４０の流路下面の最高点の高さ位置よりも低く且つ第３流路部６３０と連続している部分は存在せず、その部分の容積はゼロである。
【０１２０】
この変形例３Ｄの構成によれば、図１０において容積Ｖ１で示す空間にあるドレン水が排水機構６００及びドレンポンプ５９から逆流してドレンパン５７に戻ってきた場合にも、ドレン水がドレンパン５７から溢れない。
【０１２１】
また、変形例３Ｄでは、排水機構６００の第５流路部６５０の内部空間のうち図１０においてハッチングで示す部分の容積Ｖ２が、容積Ｖ１よりも大きくなるように、各部５９，５２０，６３０，６５０の配管サイズ等が決められている。第５流路部６５０の内部空間のうち図１０においてハッチングで示す部分は、ドレンポンプ５９が作動してドレンパン５７からドレン水が排水機構６００に排水されている状態において、ドレン水の流路になっておらず空気が溜まっている空間である。この空間の容積Ｖ２が、上記の容積Ｖ１よりも大きいため、排水機構６００からドレンパン５７への逆流が生じたとしても、ドレンパン５７からドレン水が溢れる事態は殆ど生じない。
【０１２２】
（付記）
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１２３】
１２    空調室内機
５７    ドレンパン
５９    ドレンポンプ
６０    排水機構
６２ａ  接続部
６４    第１流路部
６４Ｃ  第１流路部の内部流路の中心線
６４Ｔ  第１流路部の最高点
６５    折返し部
６５ａ  第１端
６５ｂ  第２端
６５Ｃ  折返し部の内部流路の中心線
６５Ｔ  折返し部の最高点
６８    第２流路部
６８Ｃ  第２流路部の内部流路の中心線
６８Ｔ  第２流路部の最高点
６８ｃ  湾曲部
７０    排出用集合管（排出流路）
１６０    排水機構
１６２    接続部
１６４    第１流路部
１６５    容器（折返し部）
１６５ａ  第１端
１６５ｂ  第２端
１６５ｃ  切替部材
１６５ｄ  消音部材
２６０    排水機構
２６５    容器（折返し部）
２６５ａ  第１端
２６５ｂ  第２端
２６５ｃ  容器の上部（弾性部材）
５００    排水機構
５２０    接続部
５３０    第３流路部
５４０    第４流路部
５４１    第４流路部の第１端
５４２    第４流路部の第２端
５５０    第５流路部
５６０    第６流路部
５７０    第７流路部
５７０ａ  第７流路部の内部流路の中心線のうち最も高さが低い最低点
５８０    第８流路部
Ｈ５７    ドレンパンの上端の高さ位置
Ｈ５７０  第７流路部の内部流路の中心線のうち最も高さが低い最低点の高さ位置
【先行技術文献】
【特許文献】
【０１２４】
【特許文献１】特開平５−２０３１７７号公報
【要約】
【課題】空調室内機のドレンパンにドレン水が戻ってしまう不具合を抑制する。
【解決手段】排水機構６０は、ドレンパンから水を吸い上げるドレンポンプに接続される。排水機構６０は、ドレンポンプに接続される接続部６２ａと、第１流路部６４と、折返し部６５と、第２流路部６８と、を備えている。第１流路部６４は、接続部６２ａから上方に延びる。折返し部６５は、第１流路部６４の上端に接続される第１端６５ａと、その第１端６５ａとは反対側の第２端６５ｂとを有している。折返し部６５は、内部を流れるドレン水の向きを、上向きから下向きに変える。第２流路部６８は、第２端６５ｂから延びる。第２流路部６８は、内径が１３ｍｍ以下の配管である。折返し部６５の流路面積は、第２流路部６８の流路面積よりも大きい。
【選択図】図３Ａ【図１】
0006806283.tif 000002
【図２】
0006806283.tif 000003
【図３Ａ】
0006806283.tif 000004
【図３Ｂ】
0006806283.tif 000005
【図４】
0006806283.tif 000006
【図５】
0006806283.tif 000007
【図６】
0006806283.tif 000008
【図７Ａ】
0006806283.tif 000009
【図７Ｂ】
0006806283.tif 000010
【図８】
0006806283.tif 000011
【図９】
0006806283.tif 000012
【図１０】
0006806283.tif 000013